(57)【特許請求の範囲】
【請求項１】
パネルの周縁部に押出成形用ダイを配置させて、両者を前記パネルの周縁部に沿って相対的に移動させながら前記押出成形用ダイから加熱溶融した成形材料を押し出して枠体を形成すると共にこの枠体を前記パネルの周縁部に沿って接合する長尺な枠体付きパネルの製造方法であって、
前記押出成形用ダイから成形材料を押し出して枠体の主体部をなすモールディング本体を形成する際に、前記モールディング本体と一体化されたときに前記枠体の外形の一部をなす非帯板状で横断面形状が三日月形状、又は逆Ｌ字形状に形成されると共に外側に意匠層を内側に前記モールディング本体と相溶性を有する材料からなる接合層を有するように前記モールディング本体とは別に予め押出成形された長尺な意匠モール体を前記押出成形用ダイに連続して供給し、
前記押出成形用ダイでは、同ダイの入口側に前記意匠モール体の断面形状に対応した形状に形成された移送案内路に沿って前記意匠モール体を同ダイの出口側に向けて移送させながら、前記押出成形用ダイの出口側で前記意匠モール体の接合層を前記モールディング本体の溶融材料と接触させて溶融接合させる一方、前記意匠層は、前記接合層により前記溶融材料の熱を断熱すると共に前記溶融材料と非接触状態を保たせて同意匠層を前記溶融材料の熱から保護した状態で前記意匠モール体と前記モールディング本体とが一体化した枠体を押し出す、
ことを特徴とする枠体付きパネルの製造方法。
【請求項２】
請求項１に記載の枠体付きパネルの製造方法において、意匠モール体の意匠層は、光輝性を有する積層フィルムより構成されていることを特徴とする枠体付きパネルの製造方法。
【請求項３】
請求項１に記載の枠体付きパネルの製造方法において、意匠モール体の接合層は、モールディング本体の材料の溶融温度と略同じ又は低い溶融温度の材料より形成され、前記意匠モール体の意匠層は、前記モールディング本体の材料の溶融温度よりも高い溶融温度の耐熱性の材料より形成されていることを特徴とする枠体付きパネルの製造方法。
【請求項４】
請求項１に記載の枠体付きパネルの製造方法において、意匠モール体は、その接合層と意匠層とが同材質の熱可塑性合成樹脂材料によって構成された単層構造になっていることを特徴とする枠体付きパネルの製造方法。
【請求項５】
請求項１、２、３又は４に記載の枠体付きパネルの製造方法において、意匠モール体には剛性を有する芯材がインサートされていることを特徴とする枠体付きパネルの製造方法。
【請求項６】
請求項１に記載の枠体付きパネルの製造方法において、枠体に対応する押出成形用ダイ装置の成形路の内周壁面のうち、その成形路に供給される意匠モール体の意匠層に対向する側は、断熱性を備え、前記押出成形用ダイ装置が有する熱に対し、前記意匠層を保護することを特徴とする枠体付きパネルの製造方法。
【発明の詳細な説明】
【０００１】
【発明の属する技術分野】
この発明は枠体付きパネルの製造方法に関する。
【０００２】
【従来の技術】
ウインドモールディングのような枠体を押出成形した後、その枠体をパネル（ウインドパネル）の周縁部に差し込んで組み付ける作業は厄介であり、多くの手間を必要とするため、パネルの周縁部に沿って枠体を押出成形すると同時に、そのパネルに枠体を接合することで、枠体付きパネルを製造する方法が、例えば、特開平４−２６１８２２号公報に開示されている。
このような枠体付きパネルの製造方法において、設定されたプログラムに基づいて駆動制御される６軸制御のロボットには、パネル保持装置が組み付けられる。そして、パネル保持装置に吸着保持されたパネルの周縁部の一部が押出成形用ダイのパネル組込部に差込状に組み込まれた状態のもとで、パネルとダイとが設定されたプログラムに基づいて相対的に移動されることで、パネルの周縁部に枠体が押出成形されると同時に、そのパネルに枠体が接合されるようになっている。
【０００３】
【発明が解決しようとする課題】
ところで、前記従来の枠体付きパネルの製造方法において、６軸制御のロボットは固有振動をもち、特に、パネルの移送姿勢が大きく変化するコーナ部においては、その固有振動も大きくなる。そして、６軸制御のロボットが有する固有振動が原因となって、枠体のコーナ部の外側面に対し、その枠体の押出方向と直交する縞状の歪みが発生し、その歪みによって見栄えが悪化される場合があった。この発明の目的は、前記従来の問題点に鑑み、枠体の押出成形の際、そのモールディング本体の所定位置に意匠モール体を溶融接合することで、縞状の歪みによる見栄えの悪化を防止することができる枠体付きパネルの製造方法を提供することである。
【０００４】
【課題を解決するための手段】
前記目的を達成するために、請求項１の発明に係る枠体付きパネルの製造方法は、パネルの周縁部に押出成形用ダイを配置させて、両者を前記パネルの周縁部に沿って相対的に移動させながら前記押出成形用ダイから加熱溶融した成形材料を押し出して枠体を形成すると共にこの枠体を前記パネルの周縁部に沿って接合する長尺な枠体付きパネルの製造方法であって、
前記押出成形用ダイから成形材料を押し出して枠体の主体部をなすモールディング本体を形成する際に、前記モールディング本体と一体化されたときに前記枠体の外形の一部をなす非帯板状で横断面形状が三日月形状、又は逆Ｌ字形状に形成されると共に外側に意匠層を内側に前記モールディング本体と相溶性を有する材料からなる接合層を有するように前記モールディング本体とは別に予め押出成形された長尺な意匠モール体を前記押出成形用ダイに連続して供給し、
前記押出成形用ダイでは、同ダイの入口側に前記意匠モール体の断面形状に対応した形状に形成された移送案内路に沿って前記意匠モール体を同ダイの出口側に向けて移送させながら、前記押出成形用ダイの出口側で前記意匠モール体の接合層を前記モールディング本体の溶融材料と接触させて溶融接合させる一方、前記意匠層は、前記接合層により前記溶融材料の熱を断熱すると共に前記溶融材料と非接触状態を保たせて同意匠層を前記溶融材料の熱から保護した状態で前記意匠モール体と前記モールディング本体とが一体化した枠体を押し出す、
ことを特徴とする。
【０００５】
したがって、押出成形用ダイから成形材料を押し出して枠体の主体部をなすモールディング本体を形成する際に、モールディング本体の溶融材料に接して横断面形状が三日月形状、又は逆Ｌ字形状の意匠モール体の接合層が溶融接合される。この際、意匠モール体の接合層が断熱層となり意匠層が保護される。このため、モールディング本体の溶融材料が有する熱によって意匠モール体の意匠層が溶融されたり、あるいは不測に伸ばされたりする不具合が防止される。
【０００６】
また、請求項２の発明に係る枠体付きパネルの製造方法は、請求項１に記載の枠体付きパネルの製造方法において、意匠モール体の意匠層は、光輝性を有する積層フィルムより構成されていることを特徴とする。
したがって、光輝性を有する積層フィルムによって枠体の意匠性がより一層高められる。また、モールディング本体の押出成形工程において、モールディング本体の溶融材料に接して意匠モール体の接合層が溶融接合される際、意匠モール体の接合層が断熱層となるとともに、溶融材料から受ける圧力を意匠層をなす積層フィルムに直接伝えることなく、接合層において吸収することができる。このため、積層フィルムが溶融されたり、あるいは不測に伸ばされたりする不具合が防止される。
この結果、積層フィルムの光輝部、すなわち、金属粒子層の金属粒子の密度が異常に低下されることを防止することができ、積層フィルムの不測の伸びが原因となる金属の光輝性の劣化や白濁化を防止することができる。
【０００７】
請求項３の発明に係る枠体付きパネルの製造方法は、請求項１に記載の枠体付きパネルの製造方法において、意匠モール体の接合層は、モールディング本体の材料の溶融温度と略同じ又は低い溶融温度の材料より形成され、前記意匠モール体の意匠層は、前記モールディング本体の材料の溶融温度よりも高い溶融温度の耐熱性の材料より形成されていることを特徴とする。
したがって、意匠モール体は、その接合層においてモールディング本体の溶融材料が有する熱によって良好に溶融されるため、モールディング本体に対し意匠モール体がその接合層において、より一層確実に溶融接合される。
この際、溶融材料が有する熱に対し、接合層が断熱層となり意匠層が保護されるばかりでなく、意匠層が有する耐熱性によって、モールディング本体の溶融材料が有する熱や押出成形用ダイ装置が有する熱などが原因となって、意匠モール体の意匠層が溶融されたり、あるいは不測に伸ばされたりする不具合がより一層確実に防止される。
【０００８】
請求項４の発明に係る枠体付きパネルの製造方法は、請求項１に記載の枠体付きパネルの製造方法において、意匠モール体は、その接合層と意匠層とが同材質の熱可塑性合成樹脂材料によって構成された単層構造になっていることを特徴とする。
したがって、意匠モール体を容易にかつ安価に成形することができる。
【０００９】
請求項５の発明に係る枠体付きパネルの製造方法は、請求項１、２、３又は４に記載の枠体付きパネルの製造方法において、意匠モール体には剛性を有する芯材がインサートされていることを特徴とする。
したがって、意匠モール体が不測に伸ばされる不具合が芯材によってより一層確実に防止される。
【００１０】
請求項６の発明に係る枠体付きパネルの製造方法は、請求項１に記載の枠体付きパネルの製造方法において、枠体に対応する押出成形用ダイ装置の成形路の内周壁面のうち、その成形路に供給される意匠モール体の意匠層に対向する側は、断熱性を備え、前記押出成形用ダイ装置が有する熱に対し、前記意匠層を保護することを特徴とする。
したがって、押出成形用ダイ装置が有する熱によって意匠モール体の意匠層が溶融されたり、あるいは不測に伸ばされたりする不具合を防止することができる。前記したように押出成形用ダイ装置が有する熱に対し、意匠モール体の意匠層を保護することで、意匠モール体の接合層と意匠層とを略同じ溶融温度の熱可塑性合成樹脂材料によって構成することも可能となる。
【００１１】
【発明の実施の形態】
（実施の形態１）
この発明の実施の形態１を図１〜図８にしたがって説明する。
この実施の形態１においては、パネルが車両用ウインドパネル２であり、枠体がモールディング１０である車両用モールディング付きウインドパネル１を製造する場合を例示する。
図６に示すように、車両用モールディング付きウインドパネル１は、ウインドパネル２と、枠体としてのモールディング１０とを備えている。
図２に示すように、モールディング１０は、その主体部をなすモールディング本体１１と、そのモールディング本体１１を装飾する意匠モール体２０によって構成されている。
【００１２】
前記モールディング本体１１は、熱可塑性合成樹脂、合成ゴム、エラストマー等、例えば、ＰＶＣ（ポリ塩化ビニル）よりなりウインドパネル２の周縁部に押出成形されると同時に接合される。さらに、モールディング本体１１は、その断面においてウインドパネル２の車外側面に接合された頭部１２と、ウインドパネル２の端面に接合された脚部１３と、ウインドパネル２の車内側面に接合された係止部１４と、脚部１３の外側から延出されたリップ１５とを一体に備えている。
前記モールディング本体１１の外周側には、頭部１２と脚部１３とにわたって外周接合面１６が略傾斜状に設けられ、その外周接合面１６には意匠モール体２０が溶融接合されている。
【００１３】
前記意匠モール体２０は、図３に示すように、接合層２１と意匠層２３とを一体状に備え、ウインドパネル２の周縁部にモールディング本体１１を押出成形する前工程、すなわち、モールディング本体１１を押出成形する前において、そのモールディング本体の押出成形とは別工程で所要とする断面形状に形成されている。
図２と図３に示すように、意匠モール体２０の接合層２１は、モールディング本体１１を成形するＰＶＣ材料と同材質のＰＶＣ材料又は相溶性を有する熱可塑性合成樹脂材料よりなり、モールディング本体１１の押出成形とは別の押出成形によって所要とする断面形状、例えば、横断面形状が三日月形状に成形されている。
【００１４】
図３に示すように、前記接合層２１の外側面には、その接合層２１を被うようにして意匠層２３が設けられている。この意匠層２３は、接合層２１の押出成形と同時にその接合層２１の外側面に溶融接合されることで、接合層２１に対し意匠層２３を接着する工程を省くことができるが、接合層２１が押出成形された後、その接合層２１の外側面に接着剤によって接着されてもよい。
【００１５】
この実施の形態において、前記意匠層２３は、図４又は図５に示す光輝性を有する積層フィルム２４、２４１より構成されている。
図４に示す意匠層２３を構成する積層フィルム２４は、その内側から外側に向かって、裏打層２５、接着層２６、金属粒子層２７ｂ、ベースフィルム層２７、金属粒子層２７ａ、接着層２８及びクリア層２９を備えている。裏打層２５は、接合層２１と同材質のＰＶＣ材料よりなり、１００ミクロン〜３００ミクロン程度の厚さを有している。そして積層フィルム２４は、その裏打層２５において接合層２１の外側面に溶融接合されている。
前記ベースフィルム層２７は、ポリエステル、ＰＥＴ等の樹脂フィルムより形成され、２５ミクロン〜１００ミクロン程度の厚さを有している。ベースフィルム層２７の表裏両面には、アルミ蒸着よって金属粒子層２７ａ、２７ｂがそれぞれ形成されている。
また、前記クリア層２９は、透明又は半透明のＰＴＦＥ等のフッ素系の樹脂フィルムより形成され、２５ミクロン〜１００ミクロン程度の厚さを有している。なお、ベースフィルム層２７及びクリア層２９は、モールディング本体１１及び接合層２１よりも溶融温度が高い耐熱性の合成樹脂フィルムより形成することが望ましい。
【００１６】
また、図５に示す意匠層２３を構成する積層フィルム２４１は、その内側から外側に向かって、裏打層２５１、接着層２６１、金属粒子層２７１及びクリア層２９１を備えている。
この積層フィルム２４１の裏打層２５１においても、接合層２１と同材質のＰＶＣ材料よりなり、１００ミクロン〜３００ミクロン程度の厚さを有している。そして積層フィルム２４１は、その裏打層２５１において接合層２１の外側面に溶融接合されている。
また、前記クリア層２９１は、透明又は半透明のＰＴＦＥ等のフッ素系の樹脂フィルムより形成され、２５ミクロン〜１００ミクロン程度の厚さを有している。このクリア層２９１の裏面にはクロムのスパッタリング等によって金属粒子層２７１が形成されている。
【００１７】
図４に示す積層フィルム２４において、アルミ蒸着による金属粒子層２７ａ、２７ｂを有するベースフィルム層２７は、ポリエステル、ＰＥＴ等の樹脂フィルムより形成されるため、伸びにくく屈曲追従性が悪い特性を有する。
これに対し、図５に示す積層フィルム２４１において、クロムのスパッタリングによる金属粒子層２７１を有するクリア層２９１は、透明又は半透明のＰＴＦＥ等のフッ素系の樹脂フィルムより形成されるため、伸びやすく屈曲追従性に優れる特性を有する。
【００１８】
前記したようにモールディング本体１１の押出成形の前工程において、所要とする断面形状に形成された意匠モール体２０は、モールディング本体１１を押出成形するための押出成形用ダイ装置５０に供給される。
図７と図８に示すように、押出成形用ダイ装置５０は、材料ホッパ４１を備えた材料押出機４０の押出しスクリュウ４２の先端部に組み付けられている。
前記押出成形用ダイ装置５０は、ダイ本体５１と、そのダイ本体５１の口金取付部５４にボルト５５によって共締めされて固定された第１、第２及び第３口金板６０、７０、８０を主体として構成されている。
【００１９】
前記ダイ本体５１には、側方開口するパネル組込溝５２と、押出しスクリュウ４２の材料吐出部に接続パイプ４３を介して連通された材料供給路５３とがそれぞれ形成されている。
ダイ本体５１に固定された第１〜第３の口金板のうち、奥側の第１口金板６０には、ダイ本体５１のパネル組込溝５２に通じるパネル組込溝６２と、材料供給路５３に通じる材料流路６３と、意匠モール体２０に対応する断面形状をなして意匠モール体２０を移送案内するための移送路入口部６４とがそれぞれ形成されている。
中間の第２口金板７０には、第１口金板６０のパネル組込溝６２に通じるパネル組込溝７２と、材料流路６３に通じる材料流路７３と、移送路入口部６４に通じる移送路中間部７４とがそれぞれ形成されている。
前側の第３口金板８０には、第２口金板７０のパネル組込溝７２に通じるパネル組込部８２と、材料流路７３に通じる材料押出部８３と、移送路中間部７４に通じる移送路出口部８４とがそれぞれ形成されている。
そして、第３口金板８０においては、そのパネル組込部８２、材料押出部８３及び移送路出口部８４が相互に合流する。そして、パネル組込部８２にウインドパネル２が差し込まれた状態において、材料押出部８３と移送路出口部８４によって成形路８５が構成されている。
【００２０】
次に、前記押出成形用ダイ装置５０を用いてモールディング本体１１を押出成形する工程を説明すると、まず、図８に示すように、設定されたプログラムに基づいて駆動制御される６軸制御のロボット（市販のものを用いてもよい）３０のアーム３１先端のハンド部３２に組付けられたパネル保持装置３３の各吸着盤３４によってウインドパネル２が吸着保持される。
そして、図１と図７に示すように、前記ウインドパネル２の周縁部の一部が、押出成形用ダイ装置５０のパネル組込溝５２、６２、７２及びパネル組込部８２にわたって差込状に組み込まれる。
これによって、第３口金板８０にはモールディング１０の横断面形状に対応する成形空間をもつ成形路８５が構成される。
なお、ウインドパネル２の周縁部の表裏両面及び端面には、あらかじめ、熱反応性の接着剤が必要に応じて塗布される。
【００２１】
一方、材料押出機４０の押出しスクリュウ４２の回転に基づく押出し作用によって接続パイプ４３を経てダイ本体５１の材料供給路５３に供給された溶融材料（ＰＶＣ材料）は、材料流路６３、７３を順に経て成形路８５のうち、材料押出部８３に向けて送られる。
また、意匠モール体２０は長尺に成形されてロール状に巻き取られ、その先端側が移送路入口部６４から移送路中間部７４を順に経て成形路８５のうち、移送路出口部８４に向けて送られる。
そして、溶融材料の押出し速度と略同速度において、ウインドパネル２の周縁部が押出成形用ダイ装置５０に対し相対的に移動されることで、ウインドパネル２の周縁部にモールディング本体１１が押出成形されると同時に、ウインドパネル２にモールディング本体１１が接合される。
【００２２】
前記成形路８５の開口部から溶融材料が押出され、ウインドパネル２の周縁部にモールディング本体１１が押出成形される際、意匠モール体２０は、その接合層２１においてモールディング本体１１の溶融材料に接して移送され、その溶融材料が有する熱によって溶融される。
そして、意匠モール体２０がモールディング本体１１の溶融材料と共に成形路８５の開口部から押出されるときには、モールディング本体１１の外周接合面１６に意匠モール体２０がその接合層２１において接合不良なく確実に溶融接合される。
【００２３】
この際、溶融材料が有する熱に対し、接合層２１が断熱層となるとともに、溶融材料から受ける圧力が意匠層２３に直接伝わることなく接合層２１において吸収される。このため、モールディング本体１１の溶融材料が有する熱によって意匠モール体２０の意匠層２３が溶融されたり、あるいは不測に伸ばされたりする不具合が防止される。
さらに、前記意匠層２３が図４に示すような光輝性の積層フィルム２４より構成されている場合においても、その金属粒子層２７ａ、２７ｂの金属粒子の密度が異常に低下されることを防止することができる。このため、積層フィルム２４の不測の伸びが原因となる金属の光輝性の劣化や、白濁化が防止される。
また、意匠層２３が図５に示すような比較的伸びやすい光輝性の積層フィルム２４１より構成されている場合においても、その金属粒子層２７１の金属粒子の密度が異常に低下されることを防止することができ、積層フィルム２４１の不測の伸びが原因となる金属の光輝性の劣化や、白濁化が防止される。
【００２４】
また、６軸制御のロボット３０が有する固有振動が大きくなるウインドパネル２のコーナ部においても、その固有振動が原因となって、意匠モール体２０の意匠層２３に対し、モールディング本体１１の押出方向と直交する縞状の歪みが発生する不具合が防止される。
前記ウインドパネル２のコーナ部の曲率半径が比較的大きい場合には、図４に示す積層フィルム２４によって意匠層２３を構成することが可能となる。
前記ウインドパネル２のコーナ部の曲率半径が比較的小さい場合には、図５に示す積層フィルム２４１によって意匠層２３を構成することが望ましい。
【００２５】
すなわち、図５に示す積層フィルム２４１において、クロムのスパッタリングによる金属粒子層２７１を有するクリア層２９１は、透明又は半透明のＰＴＦＥ等のフッ素系の樹脂フィルムより形成され伸びやすく屈曲追従性に優れる特性を有する。このため、ウインドパネル２の曲率半径が比較的小さいコーナ部に沿ってモールディング本体１１が押出成形される際、そのモールディング本体１１の屈曲に追従して意匠モール体２０の意匠層２３をなす積層フィルム２４１が円滑に屈曲変形する。
さらに、ウインドパネル２の曲率半径が比較的小さいコーナ部に沿ってモールディング本体１１が押出成形される際においても、溶融材料が有する熱に対し、接合層２１が断熱層となるとともに、溶融材料から受ける圧力が積層フィルム２４１に直接伝わることなく接合層２１において吸収されるため、モールディング本体１１の溶融材料が有する熱によって意匠モール体２０の積層フィルム（意匠層２３）２４１が溶融されたり、あるいは不測に伸ばされたりする不具合が防止される。この結果、コーナ部においても積層フィルム２４１の不測の伸びが原因となる金属の光輝性の劣化や、白濁化が防止される。
【００２６】
また、この実施の形態１において、意匠モール体２０は、その接合層２１においてモールディング本体１１の溶融材料に接して移送されるため、モールディング本体１１の押出成形速度に同調して意匠モール体２０が移送される。このため、モールディング本体１１の押出成形速度に同期させて意匠モール体２０を移送する同期機構を廃止できる。
さらに、図２に示すように、意匠モール体２０の接合層２１の接合面２２は、ウインドパネル２の周縁部における外角部２ａに対向しているため、その外角部２ａに対して、意匠モール体２０の図２の矢印Ｓ１、Ｓ２方向の変位性が良好に確保される。このため、ウインドパネル２のコーナ部に対しても、そのコーナ部に沿って意匠モール体２０が良好に屈曲変形されながらモールディング本体１１の外周接合面１６に確実に溶融接合される。この結果、意匠モール体２０の意匠層２３に皺や弛みが発生する不具合が生じない。
【００２７】
（実施の形態２）
次に、この発明の実施の形態２を図９と図１０にしたがって説明する。
この実施の形態２においては、モールディング本体１１１の押出成形の前工程において、意匠モール体２０１は、所要とする断面形状、例えば、横断面形状が逆Ｌ字状に形成される。この意匠モール体２０１の接合層２１１と意匠層２３１とのうち、接合層２１１は、モールディング本体１１１の成形材料の溶融温度と略同じ又は低い溶融温度の熱可塑性合成樹脂材料より形成されている。これに対し、意匠層２３１は、モールディング本体１１１の成形材料の溶融温度より高い溶融温度の耐熱性の熱可塑性合成樹脂材料より形成されている。
【００２８】
前記モールディング本体１１１が重合度１５００程度のＰＶＣ材料より成形される場合には、接合層２１１は重合度１５００以下のＰＶＣ材料より成形され、意匠層２３１は重合度２５００以上のＰＶＣ材料より成形されることが望ましい。
この実施の形態２のその他の構成は、前記実施の形態１と同様にして構成されるため同一構成部分に対し、同一符号を付記してその説明は省略する。
【００２９】
したがって、この実施の形態２において、押出成形用ダイ装置５０の成形路８５の開口部からモールディング本体１１１の溶融材料が押出され、ウインドパネル２の周縁部にモールディング本体１１１が押出成形される際、意匠モール体２０１は、その接合層２１１においてモールディング本体１１１の溶融材料が有する熱によって良好に溶融されるため、モールディング本体１１１の外周接合面１６に対し意匠モール体２０１がその接合層２１１において、より一層確実に溶融接合される。
【００３０】
この際、溶融材料が有する熱に対し、接合層２１１が断熱層となり意匠層２３１が保護されるばかりでなく、意匠層２３１が有する耐熱性によって、モールディング本体１１１の溶融材料が有する熱や押出成形用ダイ装置５０が有する熱などが原因となって、意匠モール体２０１の意匠層２３１が溶融されたり、あるいは不測に伸ばされたりする不具合がより一層確実に防止される。
また、図１０に示すように、モールディング本体１１１の主体部をＰＶＣ材料より成形すると同時に、リップ１５１及びその付け根部分を弾性に富む合成樹脂材料より成形することも可能である。
【００３１】
（実施の形態３）
次に、この発明の実施の形態３を図１１と図１２にしたがって説明する。
この実施の形態３においては、図１１に示すように、押出成形用ダイ装置５０の成形路８５の内周壁面のうち、その成形路８５に供給される意匠モール体２０１の意匠層２３１に対向する壁部は、ベークライト等の断熱性部材５５によって構成されている。
この実施の形態３のその他の構成は、前記実施の形態１及び２と同様にして構成されるため同一構成部分に対し、同一符号を付記してその説明は省略する。
【００３２】
したがって、この実施の形態３においては、前記実施の形態１と同様の作用・効果を奏するばかりでなく、押出成形用ダイ装置５０が有する熱に対し、断熱性部材５５によって意匠モール体２０１の意匠層２３１が保護される。
このため、押出成形用ダイ装置５０が有する熱によって意匠モール体２０１の意匠層２３１が溶融されたり、あるいは不測に伸ばされたりする不具合も防止することができる。
【００３３】
前記したように押出成形用ダイ装置５０が有する熱に対し、意匠モール体２０１の意匠層２３１を保護することで、図１２に示すように、意匠モール体２０１の接合層２１１と意匠層２３１とを略同じ溶融温度の熱可塑性合成樹脂材料によって構成することが可能となる。
さらに、図１３に示すように、意匠モール体２０２の接合層と意匠層とを同材質の熱可塑性合成樹脂材料によって構成すること、すなわち、意匠モール体２０２を単層構造にすることも可能となる。
【００３４】
図１３に示すような単層構造に構成された意匠モール体２０２には、その意匠モール体２０２を押出成形すると同時に屈曲性を有しかつ伸びにくい芯材を容易にインサートすることができる。
例えば、図１４に示すように、単層構造の意匠モール体２０２を押出成形すると同時に、その意匠モール体２０２の所定位置（図１４では厚肉の屈曲部）に剛性を有しかつ伸びにくい線材よりなる芯材２９３を容易にインサートすることができる。
前記芯材２９３としては、例えば、金属製ワイヤやガラス繊維、カーボン繊維等の線材がある。
また、図１５に示すように、単層構造の意匠モール体２０２を押出成形すると同時に、その意匠モール体２０２の縦壁部２０２ａに沿って、剛性を有しかつ伸びにくい平板材よりなる芯材２９４を容易にインサートすることができる。
前記芯材２９４としては、例えば、アルミ板、鉄板等の金属製薄板や、ポリエステル、ＰＥＴ等の合成樹脂プレートがある。
【００３５】
図１４または図１５に示すように、意匠モール体２０２に剛性を有しかつ伸びにくい芯材２９３、２９４がインサートされることで、意匠モール体２０２の不測の伸びが積極的に防止されるとともに、強度的にも優れたものとなる。
また、図１４に示す意匠モール体２０２の所定位置には、金属製ワイヤやガラス繊維、カーボン繊維等の線材よりなる芯材２９３がインサートされている。このような線材よりなる芯材２９３は比較的曲げやすい。
したがって、図１４に示す意匠モール体２０２が用いられた場合、ウインドパネル２のコーナ部に沿ってモールディング本体１１１がしだいに屈曲されながら押出成形される際、意匠モール体２０２及びその芯材２９３は、前記モールディング本体１１１の屈曲に追従して円滑に屈曲変形する。このため、モールディング本体１１１の所要位置に意匠モール体２０２が確実に溶融接合される。
【００３６】
また、図１５に示す意匠モール体２０２においては、その縦壁部２０２ａに沿って前記平板材よりなる芯材２９４がインサートされている。この芯材２９４は、アルミ板、鉄板等の金属製薄板や、ポリエステル、ＰＥＴ等の合成樹脂プレート等の平板材よりなり、その板面の内外方向には屈曲されやすい。
したがって、図１５に示す意匠モール体２０２が用いられた場合においても、ウインドパネル２のコーナ部に沿ってモールディング本体１１１が押出成形される際、そのモールディング本体１１１の屈曲に追従して意匠モール体２０２及びその芯材２９４が円滑に屈曲変形してモールディング本体１１に確実に溶融接合される。
【００３７】
なお、前記実施の形態１に用いられる意匠モール体２０において、図１６に示すように、その接合層２１に対し剛性を有しかつ伸びにくい線状材よりなる芯材２９５をインサートしてもよい。
また、前記実施の形態２又は３に用いられる意匠モール体２０１において、図１７に示すように、意匠モール体２０１の接合層２１１に対し剛性を有しかつ伸びにくい平板状の芯材２９６をインサートしてもよい。
但し、前記意匠モール体２０又は２０１において、その意匠層２３又は２３１が、図４に示すように、積層フィルム２４より構成されている場合、その積層フィルム２４のベースフィルム層２７は、ポリエステル、ＰＥＴ等の伸びにくい樹脂フィルムより形成され、そのベースフィルム層２７が伸び防止用の芯材としての役割を果たす。
このため、図１６又は図１７に示すように、意匠モール体２０又は２０１の意匠層２３又は２３１が、図４に示す積層フィルム２４以外の比較的伸びやすいフィルム又は意匠テープ等によって構成されている場合において、その接合層２１又は２１１に対し剛性を有しかつ伸びにくい芯材２９５又は２９６をインサートすることが望ましい。
また、前記実施の形態１〜３においては、ウインドパネル２の周縁部の表裏両面及び端面の計３面にモールディング本体１１が接合される構成となっているが、これに限定するものではない。例えば、ウインドパネル２の周縁部の表面又は裏面の１面に対してのみモールディング本体１１が接合される構造であってもよい。さらに、ウインドパネル２の周縁部の表面又は裏面と端面の２面に対してモールディング本体１１が接合される構造であってもよい。
また、前記実施の形態１〜３においては、枠体付きパネルが車両用モールディング付きウインドパネル１である場合を例示したが、例えば、パネルが樹脂製パネルや金属製パネルであり、枠体がパッキンやガスケット等であってもよい。
【００３８】
【発明の効果】
以上述べたように、この発明によれば、パネルの周縁部に沿って枠体を押出成形の際、そのモールディング本体の所定位置に横断面形状が三日月形状、又は逆Ｌ字形状の意匠モール体の接合層を確実に溶融接合することができる。
さらに、接合層を断熱層として、意匠層を保護することで、意匠層が溶融されたり、あるいは不測に伸ばされたりする不具合を防止することができるため、６軸制御のロボットが有する固有振動が原因となって意匠層に縞状の歪みが発生する不具合を防止することができる。この結果、意匠性に優れた見栄えのよい枠体付きパネルを容易に製造することができる。
【図面の簡単な説明】
【図１】この発明の実施の形態１を示しウインドパネルの周縁部に沿ってモールディング本体を押出成形する状態を示す斜視図である。
【図２】同じくウインドパネルとモールディング本体と意匠モール体との関係を示す断面図である。
【図３】同じく意匠モール体を示す横断面図である。
【図４】同じく意匠層がアルミ蒸着の光輝性積層フィルムによって構成された意匠モール体を拡大して示す横断面図である。
【図５】同じく意匠層がクロムスパッタリングの光輝性積層フィルムによって構成された意匠モール体を拡大して示す横断面図である。
【図６】同じく車両用モールディング付きウインドパネルの全体を示す正面図である。
【図７】同じく押出成形用ダイ装置を分解して示す斜視図である。
【図８】同じく車両用モールディング付きウインドパネルの製造装置全体を示す斜視図である。
【図９】この発明の実施の形態２の意匠モール体を示す横断面図である。
【図１０】同じく押出成形用ダイ装置を示す正面図である。
【図１１】この発明の実施の形態３の押出成形用ダイ装置を示す正断面図である。
【図１２】同じくウインドパネルとモールディング本体と意匠モール体との関係を示す横断面図である。
【図１３】同じく意匠モール体が単層構造に成形された実施態様を示す横断面図である。
【図１４】同じく意匠モール体に線材よりなる芯材がインサートされた実施態様を示す横断面図である。
【図１５】同じく意匠モール体に平板材よりなる芯材がインサートされた実施態様を示す横断面図である。
【図１６】実施の形態１の意匠モール体の接合層に線材よりなる芯材がインサートされた実施態様を示す横断面図である。
【図１７】実施の形態２又は３の意匠モール体の接合層に平板材よりなる芯材がインサートされた実施態様を示す横断面図である。
【符号の説明】
１  車両用モールディング付きウインドパネル（枠体付きパネル）
２  ウインドパネル（パネル）
１０  モールディング（枠体）
１１、１１１  モールディング本体
２０、２０２  意匠モール体
２１  接合層
２３  意匠層
２４、２４１  光輝性の積層フィルム
２７ａ、２７ｂ、２７１  金属粒子層
３０  ６軸制御のロボット
５０  押出成形用ダイ装置
８５  成形路
【図１】
0003540601.tif 000002
【図２】
0003540601.tif 000003
【図３】
0003540601.tif 000004
【図４】
0003540601.tif 000005
【図５】
0003540601.tif 000006
【図６】
0003540601.tif 000007
【図７】
0003540601.tif 000008
【図８】
0003540601.tif 000009
【図９】
0003540601.tif 000010
【図１０】
0003540601.tif 000011
【図１１】
0003540601.tif 000012
【図１２】
0003540601.tif 000013
【図１３】
0003540601.tif 000014
【図１４】
0003540601.tif 000015
【図１５】
0003540601.tif 000016
【図１６】
0003540601.tif 000017
【図１７】
0003540601.tif 000018